(57)【要約】【課題】車両の運転操作の操作性と音声入力に基づく情報検索の操作性とを両立することを可能にした車載情報端末及び情報検索プログラムを提供する。【解決手段】車載情報端末１００は、入力された音声を認識する認識処理部１１０と、認識処理部１１０により認識された音声の内容に基づく情報の検索を行う検索処理部１４０とを備える。そして、検索処理部１４０は、車両の速度が所定の閾値以上であるときには、音声の入力後に情報の検索を自動的に開始する一方で、車両の速度が所定の閾値未満であるときには、音声の入力後に入力操作部３０を通じて開始操作が行われたことを条件に情報の検索を開始する。【選択図】図１
2018124805.tif 000002
【特許請求の範囲】
【請求項１】
車両に搭載され、入力された音声に基づき情報の検索を行う車載情報端末であって、
入力された音声を認識する認識処理部と、
前記認識処理部により認識された音声の内容に基づく情報の検索を行う検索処理部と
を備え、
前記検索処理部は、
車両の速度が所定の閾値以上であるときには、音声の入力後に前記情報の検索を自動的に開始する一方で、車両の速度が前記所定の閾値未満であるときには、音声の入力後に入力操作部を通じて開始操作が行われたことを条件に前記情報の検索を開始する
ことを特徴とする車載情報端末。
【請求項２】
前記検索処理部は、車両の速度が前記所定の閾値以上であるとき、音声の入力後に待機時間が経過したことを条件に、前記認識処理部により認識された音声の内容に基づく前記情報の検索を自動的に開始する
請求項１に記載の車載情報端末。
【請求項３】
前記検索処理部は、音声の入力後に待機時間が経過するまでの間に、車両の速度が前記所定の閾値未満の値から前記所定の閾値以上の値に切り替わったときには、車両の速度が切り替わった時点から待機時間が経過した時点で前記情報の検索を自動的に開始する
請求項２に記載の車載情報端末。
【請求項４】
前記検索処理部は、車両の速度が前記所定の閾値未満であるとき、音声の入力後に待機時間が経過するまでの間に前記入力操作部を通じて開始操作が行われないときには、前記認識処理部により認識された音声のデータを破棄する
請求項１〜３の何れか一項に記載の車載情報端末。
【請求項５】
前記検索処理部は、音声の入力後に待機時間が経過するまでの間に、車両の速度が前記所定の閾値以上の値から前記所定の閾値未満の値に切り替わった場合であって、車両の速度が切り替わった時点から待機時間が経過するまでの間に前記入力操作部を通じて開始操作が行われないときには、前記認識処理部により認識された音声のデータを破棄する
請求項４に記載の車載情報端末。
【請求項６】
前記所定の閾値は、車両の走行状況が走行中及び停車中の何れであるかについての判定の基準となる車両の速度である
請求項１〜５の何れか一項に記載の車載情報端末。
【請求項７】
コンピュータに、
車両に搭載された音声入力部を通じて入力された音声を認識する音声認識処理と、
前記音声認識処理により認識された音声の内容に基づく情報の検索を行う検索処理と
を実行させ、
前記検索処理では、車両の速度が所定の閾値以上であるときには、音声の入力後に前記情報の検索を自動的に開始させる一方で、車両の速度が前記所定の閾値未満であるときには、音声の入力後に入力操作部を通じて開始操作が行われたことを条件に前記情報の検索を開始させる
ことを特徴とする情報検索プログラム。
【発明の詳細な説明】
【技術分野】
【０００１】
本発明は、車載情報端末及び情報検索プログラムに関する。
【背景技術】
【０００２】
従来、音声入力されたキーワードに基づき情報の検索を行う情報端末が広く知られている。例えば特許文献１に記載の情報端末は、音声入力されたデータを音声認識機能を通じて文字データに変換し、この変換した文字データを検索用のキーワードとして生成する。そして、この生成したキーワードをウェブ検索サーバに送信し、ウェブ検索サーバから受信した情報の検索結果を表示部に表示する。これにより、ユーザは検索したいキーワードを情報端末に向けて喋るだけという簡易な方法で、情報の検索結果を自動的に取得することが可能となる。
【０００３】
また、この情報端末では、音声入力されたキーワードを一旦表示部に表示し、この表示に基づきユーザが適宜キーワードを修正した上で、キーワードをウェブ検索サーバに送信する。これにより、ユーザの意図とは異なるキーワードがウェブ検索サーバに送信され難くなり、情報検索の精度を高めることが可能となる。
【先行技術文献】
【特許文献】
【０００４】
【特許文献１】特開２００４−２６５２１７号公報
【発明の概要】
【発明が解決しようとする課題】
【０００５】
しかしながら、上記文献に記載の情報端末を車両に搭載する場合、車両の走行状況によっては、音声入力されたキーワードの表示を運転者が確認してキーワードを修正することが困難なこともある。すなわち、車両の運転操作の操作性と音声入力に基づく情報検索の操作性とを両立する上で、なお改善の余地を残している。
【０００６】
本発明は、このような実情に鑑みてなされたものであり、その目的は、車両の運転操作の操作性と音声入力に基づく情報検索の操作性とを両立することを可能にした車載情報端末及び情報検索プログラムを提供することにある。
【課題を解決するための手段】
【０００７】
上記課題を解決する車載情報端末は、車両に搭載され、入力された音声に基づき情報の検索を行う車載情報端末であって、入力された音声を認識する認識処理部と、前記認識処理部により認識された音声の内容に基づく情報の検索を行う検索処理部とを備え、前記検索処理部は、車両の速度が所定の閾値以上であるときには、音声の入力後に前記情報の検索を自動的に開始する一方で、車両の速度が前記所定の閾値未満であるときには、音声の入力後に入力操作部を通じて開始操作が行われたことを条件に前記情報の検索を開始する。
【０００８】
また、上記課題を解決する情報検索プログラムは、コンピュータに、車両に搭載された音声入力部を通じて入力された音声を認識する音声認識処理と、前記音声認識処理により認識された音声の内容に基づく情報の検索を行う検索処理とを実行させ、前記検索処理では、車両の速度が所定の閾値以上であるときには、音声の入力後に前記情報の検索を自動的に開始させる一方で、車両の速度が前記所定の閾値未満であるときには、音声の入力後に入力操作部を通じて開始操作が行われたことを条件に前記情報の検索を開始させる。
【０００９】
上記構成によれば、車両の速度が比較的速いときには、車両の運転者が入力操作部を通じて情報検索の開始操作を行う余裕が無いと考えられることから、開始操作の有無に関わらず、入力された音声に基づく情報の検索を自動的に開始する。その一方で、車両の速度が比較的遅いときには、車両の運転者が入力操作部を通じて情報検索の開始操作を行う余裕があると考えられることから、開始操作が行われたことを条件に、入力された音声に基づく情報の検索を開始する。すなわち、車両の走行状況に応じて入力された音声に基づく情報の検索を自動的に開始するか否かを切り替える。これにより、車両の運転操作の操作性と音声入力に基づく情報検索の操作性とを両立することができる。
【００１０】
上記車載情報端末において、前記検索処理部は、車両の速度が前記所定の閾値以上であるとき、音声の入力後に待機時間が経過したことを条件に、前記認識処理部により認識された音声の内容に基づく前記情報の検索を自動的に開始することが好ましい。
【００１１】
上記構成によれば、車両の速度が比較的速いときであっても、情報の検索を自動的に開始する前の時点で、入力された音声の内容を運転者が確認するための待機時間が確保される。これにより、運転者の意図に沿わない音声の内容に基づき情報の検索が開始されてしまうことを抑制できる。
【００１２】
上記車載情報端末において、前記検索処理部は、音声の入力後に待機時間が経過するまでの間に、車両の速度が前記所定の閾値未満の値から前記所定の閾値以上の値に切り替わったときには、車両の速度が切り替わった時点から待機時間が経過した時点で前記情報の検索を自動的に開始することが好ましい。
【００１３】
例えば交差点での車両の発進時等、音声を入力してから待機時間が経過するまでの間に、車両の速度が増大する傾向をもって車両の走行状況が大きく変化するときには、運転者が情報検索の開始操作を行う余裕が途中から無くなるものと考えられる。そのため、上記構成では、このような場合、運転者の余裕が無くなった時点から入力された音声の内容を運転者が確認するための待機時間を確保しつつも、入力操作部を通じた開始操作の有無に関わらず、入力された音声に基づく情報の検索を開始する。これにより、音声の入力後における車両の走行状況の変化を考慮しつつ、車両の運転操作の操作性と音声入力に基づく情報検索の操作性とを好適に両立することができる。
【００１４】
上記車載情報端末において、前記検索処理部は、車両の速度が前記所定の閾値未満であるとき、音声の入力後に待機時間が経過するまでの間に前記入力操作部を通じて開始操作が行われないときには、前記認識処理部により認識された音声のデータを破棄することが好ましい。
【００１５】
上記構成によれば、車両の運転者が入力操作部を通じて情報検索の開始操作を行う余裕があるにも関わらず、音声を入力してから一定の時間が経過しても運転者から何らの意思表示が無いときには、認識された音声のデータを破棄して新たな音声を入力する機会を確保する。これにより、運転者の意図に沿うかたちで音声入力に基づく情報検索の操作性をより一層向上させることができる。
【００１６】
上記車載情報端末において、前記検索処理部は、音声の入力後に待機時間が経過するまでの間に、車両の速度が前記所定の閾値以上の値から前記所定の閾値未満の値に切り替わった場合であって、車両の速度が切り替わった時点から待機時間が経過するまでの間に前記入力操作部を通じて開始操作が行われないときには、前記認識処理部により認識された音声のデータを破棄することが好ましい。
【００１７】
例えば交差点での車両の停車時等、音声を入力してから待機時間が経過するまでの間に、車両の速度が減少する傾向をもって車両の走行状況が大きく変化するときには、運転者が情報検索の開始操作を行う余裕が途中から確保されるものと考えられる。そのため、上記構成では、運転者の余裕が確保された時点から一定の時間が経過しても運転者から何らの意思表示が無いときには、認識された音声のデータを破棄して新たな音声を入力する機会を確保する。これにより、音声の入力後における車両の走行状況の変化を考慮しつつ、運転者の意図に沿うかたちで音声入力に基づく情報検索の操作性をより一層向上させることができる。
【００１８】
上記車載情報端末において、前記所定の閾値は、車両の走行状況が走行中及び停車中の何れであるかについての判定の基準となる車両の速度であることが好ましい。
一般に、車両の走行状況が走行中及び停車中のいずれであるかに応じて、車両の運転者が入力操作部を通じて情報検索の開始操作を行う上での余裕の大きさは大きく異なる。この点、上記構成では、車両の走行状況が走行中及び停車中の何れであるかに応じて情報の検索を自動的に開始するか否かを切り替える。これにより、車両の運転操作の操作性と音声入力に基づく情報検索の操作性とをより一層好適に両立することができる。
【図面の簡単な説明】
【００１９】
【図１】車載情報端末の一実施の形態の概略構成を示すブロック図。
【図２】（ａ）〜（ｅ）は、情報検索の処理の過程を説明するための模式図。
【図３】同実施の形態の車載情報端末が実行する情報検索処理の処理内容を示すフローチャート。
【図４】（ａ）〜（ｇ）は、車両の走行状況と情報検索の開始タイミングとの対応関係を示す模式図。
【発明を実施するための形態】
【００２０】
本実施の形態の車載情報端末は、車両の運転者から入力された音声に基づき情報の検索を行う。この車載情報端末では、車両の速度に基づき車両の走行状況を判定し、車両が走行中であると判定したときには、音声の入力後に情報の検索を自動的に開始する。その一方で、車載情報端末は、車両が停車中であると判定したときには、音声の入力後に車両の運転者により開始操作が行われたことを条件に情報の検索を開始する。そして、車載情報端末は、情報の検索を開始したときには車両の運転者から入力された音声に基づき検索の対象となるキーワードを生成するとともに、生成したキーワードを外部サーバに送信する。その後、車載情報端末は、外部サーバから情報の検索結果を受信したときには、受信した情報の検索結果を表示装置に出力して車両の運転者に提示する。
【００２１】
具体的には、図１に示すように、本実施の形態の車載情報端末１００が搭載される車両は、マイク１０、車速センサ２０、入力操作部３０、表示装置２００、無線通信部２１０を備えており、これらの要素は車載情報端末１００に対して電気的に接続されている。
【００２２】
車載情報端末１００は、車両に設けられたマイク１０を通じて運転者が発した音声の信号が入力される認識処理部１１０を備えている。認識処理部１１０は、例えば、マイク１０から入力される音声を一定の時間幅を有する複数の区間に分割するとともに、分割した区間に含まれる音声の特徴ベクトルを予め用意した音声パターンの特徴ベクトルに対してＤＰ（Dynamic Programming）マッチング等を行うことにより照合する。そして、認識処理部１１０は、特徴ベクトルの類似度が最も高い音声パターンをその区間において発生された音声の内容であると認識するとともに、認識した音声の内容をテキストデータに変換する。また、認識処理部１１０は、変換したテキストデータを検索処理部１４０に出力する。
【００２３】
また、車載情報端末１００は、車速センサ２０から入力される車両の速度に基づき、車両の走行状況を判定する走行状況判定部１２０を備えている。走行状況判定部１２０は、車両の速度が所定の閾値以上であるときには車両が走行中であると判定し、車両の速度が所定の閾値未満であるときには車両が停車中であると判定する。すなわち、所定の閾値は、車両の走行状況が走行中及び停車中の何れであるかについての判定の基準となる車両の速度として設定されている。そして、走行状況判定部１２０は、車両の走行状況に関する判定結果を検索モード設定部１３０に出力する。
【００２４】
検索モード設定部１３０は、走行状況判定部１２０から入力される車両の走行状況に基づき、検索処理部１４０による情報の検索モードを設定する。より詳細には、検索モード設定部１３０は、車両が走行中であるときには、音声の入力後に情報の検索を自動的に開始する自動検索モードを情報の検索モードとして設定する。また、検索モード設定部１３０は、車両が停車中であるときには、音声の入力後に車両の運転者により開始操作が行われたことを条件に情報の検索を開始する手動検索モードを情報の検索モードとして設定する。そして、検索モード設定部１３０は、情報の検索モードの設定内容を検索処理部１４０に出力する。
【００２５】
検索処理部１４０は、検索モード設定部１３０から入力される情報の検索モードに基づき、認識処理部１１０から入力されるテキストデータを検索用のキーワードとして情報の検索を行う。なお、検索処理部１４０は、情報の検索モードが自動検索モード及び手動検索モードの何れであっても、認識処理部１１０から入力されるテキストデータを表示装置２００に出力して表示する。
【００２６】
検索処理部１４０は、自動検索モードの実行時には、認識処理部１１０からテキストデータが入力された後、車両の運転者が入力操作部３０を通じて情報検索の開始操作を行うまでの間、第１の待機時間が経過するまで待機する。また、検索処理部１４０は、第１の待機時間が経過するまでの間、ウェブブラウザを起動して情報の検索を行うためのブラウザ画面を表示装置２００に出力して表示する。また、検索処理部１４０は、表示装置２００に表示されたブラウザ画面において、検索の対象を表示する検索ボックスに認識処理部１１０から入力されたテキストデータを表示しつつ、入力操作部３０を通じたテキストデータの修正操作を受け付ける。そして、検索処理部１４０は、テキストデータの修正操作が行われたときには、修正を反映したテキストデータを表示装置２００に出力して表示する。なお、テキストデータの修正操作は、運転者が入力操作部３０を通じてテキストデータの修正箇所を手動で選択することで行ってもよい。また、テキストデータの修正操作は、運転者が入力操作部３０を通じて修正開始の操作を行った後、マイク１０を通じて音声を入力し直すことで行ってもよい。
【００２７】
そして、検索処理部１４０は、第１の待機時間が経過するまでの間に情報検索の開始操作が行われたときには、その開始操作の時点で情報の検索を開始する。その一方で、検索処理部１４０は、第１の待機時間が経過する間に情報検索の開始操作が行われなかったとしても、認識処理部１１０からテキストデータが入力された後に第１の待機時間が経過した時点で情報の検索を開始する。
【００２８】
また、検索処理部１４０は、手動検索モードの実行時には、認識処理部１１０からテキストデータが入力された後、車両の運転者が入力操作部３０を通じて情報検索の開始操作を行うまでの間、第２の待機時間が経過するまで待機する。なお、本実施の形態では、第２の待機時間は、第１の待機時間よりも長く設定されている。また、検索処理部１４０は、第２の待機時間が経過するまでの間、表示装置２００にテキストデータを表示しつつ、入力操作部３０を通じたテキストデータの修正操作を受け付ける。そして、検索処理部１４０は、テキストデータの修正操作が行われたときには、修正を反映したテキストデータを表示装置２００に出力して表示する。また、検索処理部１４０は、第２の待機時間が経過するまでの間に情報検索の開始操作が行われたときには、その開始操作の時点で情報の検索を開始する。その一方で、検索処理部１４０は、第２の待機時間が経過する間に情報検索の開始操作が行われなかったときには、情報の検索を開始しない。そして、検索処理部１４０は、認識処理部１１０から入力されたテキストデータを破棄した上で、認識処理部１１０からの新たなテキストデータの入力を受け付ける。
【００２９】
なお、自動検索モードの実行時において、第１の待機時間が経過するまでの間に車両が停車したときには、車両の走行状況の変化が走行状況判定部１２０から検索モード設定部１３０に入力される。その結果、検索モード設定部１３０は、情報の検索モードに関する設定内容を自動検索モードから手動検索モードに切り替える。また、検索処理部１４０は、検索モード設定部１３０から入力される情報の検索モードが切り替わったときには、第１の待機時間のカウントをリセットし、第２の待機時間のカウントを開始する。そして、検索処理部１４０は、第２の待機時間が経過するまでの間に情報検索の開始操作が行われたときには、その開始操作の時点で情報の検索を開始する。その一方で、検索処理部１４０は、第２の待機時間が経過する間に情報検索の開始操作が行われなかったときには、情報の検索を開始しない。この場合、検索処理部１４０は、認識処理部１１０から入力されたテキストデータを破棄した上で、認識処理部１１０からの新たなテキストデータの入力を受け付ける。
【００３０】
また、手動検索モードの実行時において、第２の待機時間が経過するまでの間に車両の走行が開始されたときには、車両の走行状況の変化が走行状況判定部１２０から検索モード設定部１３０に入力される。その結果、検索モード設定部１３０は、情報の検索モードに関する設定内容を手動検索モードから自動検索モードに切り替える。また、検索処理部１４０は、検索モード設定部１３０から入力される情報の検索モードが切り替わったときには、第２の待機時間のカウントをリセットし、第１の待機時間のカウントを開始する。そして、検索処理部１４０は、第１の待機時間が経過するまでの間に情報検索の開始操作が行われたときには、その開始操作の時点で情報の検索を開始する。その一方で、検索処理部１４０は、第１の待機時間が経過する間に情報検索の開始操作が行われなかったとしても、第１の待機時間が経過した時点で情報の検索を開始する。
【００３１】
その後、検索処理部１４０は、情報の検索を開始するときには、認識処理部１１０から入力されたテキストデータを検索用のキーワードとして無線通信部２１０を通じて外部サーバ３００に送信する。一方、外部サーバ３００は、検索処理部１４０から検索用のキーワードを受信したときには、その受信したキーワードを入力として検索エンジンを動作させて情報の検索結果を取得する。また、外部サーバ３００は、検索エンジンから取得した検索結果を無線通信部２１０を通じて検索処理部１４０に送信する。そして、検索処理部１４０は、外部サーバ３００から受信した情報の検索結果を表示装置２００に出力して表示する。
【００３２】
次に、図２を参照して、車載情報端末１００が運転者から入力された音声に基づき情報検索を実行する過程で、表示装置２００に表示する表示内容の一例を説明する。なお、この例では、表示装置２００がタッチパネルにより構成されており、表示装置２００の表示画面が入力操作部３０として機能する。そして、運転者が表示装置２００に表示された操作ボタンを指でタッチ操作することにより各種の操作が行われる。
【００３３】
図２（ａ）に示すように、車載情報端末１００は、まず最初に、情報の検索を行うためのブラウザ画面ＤＰを表示装置２００に出力して表示する。同図に示す例では、音声入力を開始する際に用いられる入力開始ボタンＢ１がブラウザ画面ＤＰにおける左斜め上方となる位置に検索ボックスＣ１と横並びで表示されている。
【００３４】
そして、図２（ｂ）に示すように、車載情報端末１００は、入力開始ボタンＢ１が運転者によりタッチ操作されると、ブラウザ画面ＤＰを運転者からの音声の入力を促す画面に遷移させる。
【００３５】
続いて、図２（ｃ）に示すように、車載情報端末１００は、運転者が発話にてキーワードを入力すると、入力されたキーワードをブラウザ画面ＤＰの検索ボックスＣ１に表示する。同図に示す例では、車両の走行位置の周辺にある銀行に関する問い合わせを示すキーワードがブラウザ画面ＤＰの検索ボックスＣ１に表示されている。
【００３６】
この場合、車載情報端末１００は、車両が走行中であるときには、運転者が発話にてキーワードを入力した時点から第１の待機時間が経過するまで待機する。この間、車載情報端末１００は、運転者が発話にて入力したキーワードをブラウザ画面ＤＰの検索ボックスＣ１に継続して表示する。そして、車載情報端末１００は、運転者が発話にてキーワードを入力した時点から第１の待機時間が経過した時点で、情報の検索を開始する。
【００３７】
その一方で、車載情報端末１００は、車両が停車中であるときには、運転者が発話にてキーワードを入力した時点から第２の待機時間が経過するまで待機する。この間、図２（ｄ）に示すように、車載情報端末１００は、運転者が発話にて入力したキーワードをブラウザ画面ＤＰの検索ボックスＣ１に継続して表示する。そして、車載情報端末１００は、情報検索を開始する際に用いられる検索開始ボタンＢ２が運転者によりタッチ操作されると、情報の検索を開始する。なお、同図に示す例では、情報検索を開始する際に用いられる検索開始ボタンＢ２がブラウザ画面ＤＰにおける右斜め下方となる位置に表示されている。
【００３８】
そして、図２（ｅ）に示すように、車載情報端末１００は、情報の検索結果を外部サーバ３００から取得すると、その取得した検索結果を表示装置２００に出力して表示する。同図に示す例では、車載情報端末１００は、車両の走行位置から見て近い位置にある銀行を順に並べて、車両の走行位置からの距離と併せて一覧表示している。
【００３９】
次に、本実施の形態の車載情報端末１００が情報検索プログラムに基づいて実行する情報検索処理について、その具体的な処理手順を説明する。なお、車載情報端末１００は、図３に示す情報検索処理を所定の周期で実行する。
【００４０】
まず図３に示すように、車載情報端末１００は、車両の運転者からマイク１０を通じて音声が入力されるまで待機する（ステップＳ１０）。
そして、車載情報端末１００は、音声が入力されたときには（ステップＳ１０＝ＹＥＳ）、入力された音声を認識処理部１１０を通じて認識してテキストデータに変換する（ステップＳ１１）。
【００４１】
続いて、車載情報端末１００は、車速センサ２０から取得した車両の速度が所定の閾値以上であるか否かに基づき、車両が走行中であるか否かを走行状況判定部１２０を通じて判定する（ステップＳ１２）。
【００４２】
そして、車載情報端末１００は、車両が走行中であると判定したときには（ステップＳ１２＝ＹＥＳ）、情報の検索モードとして自動検索モードを検索モード設定部１３０を通じて設定する。
【００４３】
続いて、車載情報端末１００は、検索開始ボタンＢ２が操作されたか否かを検索処理部１４０を通じて判定する（ステップＳ１４）。そして、車載情報端末１００は、検索開始ボタンＢ２が操作されていないとき（ステップＳ１４＝ＮＯ）、第１の待機時間が経過するまでの間は（ステップＳ１５＝ＮＯ）、その処理をステップＳ１２に戻す。
【００４４】
その一方で、車載情報端末１００は、第１の待機時間が経過するまでの間に検索開始ボタンＢ２が操作されたときには（ステップＳ１４＝ＹＥＳ）、その処理をステップＳ２０に移行する。また、車載情報端末１００は、検索開始ボタンＢ２が操作されることなく第１の待機時間が経過したときにも（ステップＳ１５＝ＹＥＳ）、その処理をステップＳ２０に移行する。
【００４５】
また、車載情報端末１００は、先のステップＳ１２において車両が停車中であると判定したときには（ステップＳ１２＝ＮＯ）、情報の検索モードとして手動検索モードを検索モード設定部１３０を通じて設定する。
【００４６】
続いて、車載情報端末１００は、検索開始ボタンＢ２が操作されたか否かを検索処理部１４０を通じて判定する（ステップＳ１７）。そして、車載情報端末１００は、検索開始ボタンＢ２が操作されていないとき（ステップＳ１７＝ＮＯ）、第２の待機時間が経過するまでの間は（ステップＳ１８＝ＮＯ）、その処理をステップＳ１２に戻す。
【００４７】
その一方で、車載情報端末１００は、第２の待機時間が経過するまでの間に検索開始ボタンＢ２が操作されたときには（ステップＳ１７＝ＹＥＳ）、その処理をステップＳ２０に移行する。また、車載情報端末１００は、検索開始ボタンＢ２が操作されることなく第２の待機時間が経過したときには（ステップＳ１８＝ＹＥＳ）、先のステップＳ１１において認識した音声のテキストデータを破棄する（ステップＳ１９）。そして、車載情報端末１００は、その処理をステップＳ１０に戻し、マイク１０を通じた新たな音声の入力を待機する。
【００４８】
続いて、ステップＳ２０において、車載情報端末１００は、先のステップＳ１１において認識した音声のテキストデータを検索キーワードとして、情報の検索を検索処理部１４０を通じて外部サーバ３００に要求する（ステップＳ２０）。
【００４９】
そして以降、車載情報端末１００は、外部サーバ３００から情報の検索結果を検索処理部１４０を通じて取得するまで待機する（ステップＳ２１）。そして、車載情報端末１００は、外部サーバ３００から情報の検索結果を取得したときには（ステップＳ２１＝ＹＥＳ）、当該取得した情報の検索結果を検索処理部１４０から表示装置２００に出力して表示した上で（ステップＳ２２）、図３に示す情報検索処理を終了する。
【００５０】
次に、本実施の形態の車載情報端末１００の作用について説明する。
図４（ａ）に示すように、車両が走行中であるときには情報の検索モードとして自動検索モードが設定され、車両が停車中であるときには情報の検索モードとして手動検索モードが設定される。
【００５１】
そして、図４（ｂ）に示すように、車両が走行中であるときに運転者からの音声の入力が行われたときには、情報検索の開始操作が行われなかったとしても、音声の入力が行われてから第１の待機時間が経過した時点で、情報の検索を開始する。すなわち、車両が走行中であるときには、情報検索の開始操作の有無に関わらず、運転者から入力された音声に基づく情報の検索を自動的に開始する。これは、音声の入力が行われてから第１の待機時間が経過するまでの間に情報検索の開始操作が無かったとしても、単に運転者が余裕が無かっただけであり、入力された音声の内容が運転者の意図に即している可能性もあるためである。
【００５２】
特に、本実施の形態では、車両が走行中であるときに運転者からの音声の入力が行われたときに、直ちに情報の検索を開始するのではなく、第１の待機時間が経過するまで待機する。すなわち、車両が走行中であっても、情報の検索を自動的に開始する前の時点で、入力された音声の内容を運転者が確認するための待機時間が確保される。そして、運転者は、入力された音声の内容が運転者の意図に即していないときには、必要に応じて音声の内容を修正することも可能となる。
【００５３】
また、図４（ｃ）に示すように、車両が停車中であるときに運転者からの音声の入力が行われたときには、音声の入力が行われてから第２の待機時間が経過するまでの間に情報検索の開始操作が行われたときには、情報の検索を開始する。その一方で、図４（ｄ）に示すように、音声の入力が行われてから第２の待機時間が経過するまでの間に情報検索の開始操作が行われなかったときには、情報の検索を行わない。すなわち、車両が停車中であって、車両の運転者が余裕があると考えられるときには、情報検索の開始操作があったときに限り、運転者から入力された音声に基づく情報の検索を開始する。これは、車両の運転者は、運転者が余裕がある状態で、第２の待機時間が経過するまでの間に情報検索の開始操作が無かったときには、入力された音声の内容が運転者の意図に即していない可能性が高いためである。
【００５４】
また、図４（ｅ）及び図４（ｆ）に示すように、例えば交差点での車両の停車時等、車両が走行中であるときに運転者からの音声の入力が行われたものの、第１の待機時間が経過する前の時点で車両が停車したときには、車両が停車した時点で第２の待機時間のカウントが開始される。そして、図４（ｅ）に示すように、第２の待機時間が経過するまでの間に情報検索の開始操作が行われなかったときには、情報の検索を行わない。その一方で、図４（ｆ）に示すように、第２の待機時間が経過するまでの間に情報検索が開始操作が行われたときには、情報の検索を開始する。すなわち、車両の走行状況が走行中から停車中に切り替わり、車両の運転者が余裕ができたと考えられると考えられるときには、情報検索の開始操作があったときに限り、運転者から入力された音声に基づく情報の検索を開始する。これは、運転者が余裕がある状態では、第２の待機時間が経過するまでの間における情報検索の開始操作の有無が運転者の意図を的確に反映している可能性が高いためである。
【００５５】
また、図４（ｇ）に示すように、例えば交差点での車両の発進時等、車両が停車中であるときに運転者からの音声の入力が行われたものの、第２の待機時間が経過する前の時点で車両が走行を開始したときには、車両が走行を開始した時点で第１の待機時間のカウントが開始される。そして、第１の待機時間が経過した時点で、情報検索の開始操作が行われなかったとしても、運転者から入力された音声に基づく情報検索を自動的に開始する。すなわち、車両の走行状況が停車中から走行中に切り替わり、車両の運転者が余裕が無くなったと考えられるときには、情報検索の開始操作の有無に関わらず、運転者から入力された音声に基づく情報の検索を開始する。これは、運転者が余裕が無い状態では、第１の待機時間が経過するまでの間における情報検索の開始操作の有無が運転者の意図を的確に反映していない可能性があるためである。
【００５６】
以上説明したように、上記実施の形態によれば、以下に示す効果を得ることができる。
（１）車両の走行状況に応じて入力された音声に基づく情報の検索を自動的に開始するか否かを切り替える。これにより、車両の運転操作の操作性と音声入力に基づく情報検索の操作性とを両立することができる。
【００５７】
（２）車両の速度が比較的速いときであっても、情報の検索を自動的に開始する前の時点で、入力された音声の内容を運転者が確認するための待機時間が確保される。これにより、運転者の意図に沿わない音声の内容に基づき情報の検索が開始されてしまうことを抑制できる。
【００５８】
（３）音声を入力してから待機時間が経過するまでの間に、車両の速度が増大する傾向をもって車両の走行状況が大きく変化するときには、入力された音声の内容を運転者が確認するための待機時間を確保しつつも、情報検索の開始操作の有無に関わらず、入力された音声に基づく情報の検索を開始する。これにより、音声の入力後における車両の走行状況の変化を考慮しつつ、車両の運転操作の操作性と音声入力に基づく情報検索の操作性とを好適に両立することができる。
【００５９】
（４）車両の運転者が情報検索の開始操作を行う余裕があるにも関わらず、音声を入力してから一定の時間が経過しても運転者から何らの意思表示が無いときには、認識された音声のデータを破棄して新たな音声を入力する機会を確保する。これにより、運転者の意図に沿うかたちで音声入力に基づく情報検索の操作性をより一層向上させることができる。
【００６０】
（５）音声を入力してから第１の待機時間が経過するまでの間に、車両の速度が減少する傾向をもって車両の走行状況が大きく変化するときには、車両の走行状況が変化した時点から一定の時間が経過しても運転者から何らの意思表示が無いときには、認識された音声のデータを破棄して新たな音声を入力する機会を確保する。これにより、音声の入力後における車両の走行状況の変化を考慮しつつ、運転者の意図に沿うかたちで音声入力に基づく情報検索の操作性をより一層向上させることができる。
【００６１】
（６）車両の走行状況が走行中及び停車中の何れであるかに応じて情報の検索を自動的に開始するか否かを切り替える。これにより、車両の運転操作の操作性と音声入力に基づく情報検索の操作性とをより一層好適に両立することができる。
【００６２】
なお、上記実施の形態は、以下のような形態にて実施することもできる。
・上記実施の形態においては、車両が走行中であるときに運転者からの音声の入力が行われたものの、第１の待機時間が経過する前の時点で車両が停車したときには、車両が停車した時点で第２の待機時間のカウントを開始するようにした。ただし、車両が停車した時点でカウントを開始する待機時間は、必ずしも手動検索モードにおける待機時間と同一である必要はなく、手動検索モードにおける待機時間よりも長くてもよいし、同待機時間よりも短くてもよい。また、車両が停車した時点で第１の待機時間のカウントをリセットすることなく、その後に第１の待機時間が経過した時点で入力された音声のテキストデータを破棄するようにしてもよい。また、車両が停車した時点で入力された音声のテキストデータを直ちに破棄するようにしてもよい。
【００６３】
・上記実施の形態においては、車両が停車中であるときに運転者からの音声の入力が行われたものの、第２の待機時間が経過する前の時点で車両が走行を開始したときには、車両が走行を開始した時点で第１の待機時間のカウントを開始するようにした。ただし、車両が走行を開始した時点でカウントを開始する待機時間は、必ずしも自動検索モードにおける待機時間と同一である必要はなく、自動検索モードにおける待機時間よりも長くてもよいし、同待機時間よりも短くてもよい。また、車両が走行を開始した時点で第２の待機時間のカウントをリセットすることなく、その後に第２の待機時間が経過した時点で情報の検索を自動的に開始するようにしてもよい。また、車両が走行を開始した時点で情報の検索を直ちに開始するようにしてもよい。
【００６４】
・上記実施の形態においては、第２の待機時間は、第１の待機時間よりも長く設定されて場合を例に挙げて説明した。ただし、第２の待機時間は第１の待機時間よりも短く設定されてもよいし、これら待機時間が共通であってもよい。
【００６５】
・上記実施の形態においては、車両が停車中であるときに運転者からの音声の入力が行われたときには、音声の入力が行われてから第２の待機時間が経過するまでの間に情報検索の開始操作が行われなかったときには、入力された音声のテキストデータを破棄するようにした。これに代えて、車両が停車中であるときに運転者からの音声の入力が行われたときには、音声の入力が行われてからの経過時間に関わらず、運転者により情報検索の開始操作が行われるまで待機するようにしてもよい。
【００６６】
・上記実施の形態においては、車両が走行中であるときに運転者からの音声の入力が行われたときには、情報検索の開始操作が行われなかったとしても、音声の入力が行われてから第１の待機時間が経過した時点で、情報の検索を自動的に開始するようにした。これに代えて、車両が走行中であるときに運転者からの音声の入力が行われたときには、情報検索の開始操作を行うための待機時間を設けることなく、音声の入力が行われた直後に情報の検索を自動的に開始するようにしてもよい。
【００６７】
・上記実施の形態においては、所定の閾値として、車両が走行中及び停車中の何れであるかの判定の基準となる車両の速度を用いる場合を例に挙げて説明した。ただし、所定の閾値としては、運転者の余裕の度合いの指標となる車両の速度であれば、車両の速度を低速領域と高速領域とに分けたときの境界となる車両の速度であってもよい。
【００６８】
・上記実施の形態においては、情報検索の開始操作として、表示装置２００の表示画面上において検索開始ボタンＢ２をタッチ操作する場合を例に挙げて説明した。ただし、情報検索の開始操作は、必ずしも物理的な接触を伴う操作である必要はなく、例えば運転者の視線移動を画像認識処理により検知したり、運転者からの音声入力を音声認識処理により検知したりすることで情報検索の開始操作を行うようにしてもよい。
【符号の説明】
【００６９】
１０…マイク、２０…車速センサ、３０…入力操作部、１００…車載情報端末、１１０…認識処理部、１２０…走行状況判定部、１３０…検索モード設定部、１４０…検索処理部、２００…表示装置、２１０…無線通信部、３００…外部サーバ。
【図１】
2018124805.tif 000003
【図２】
2018124805.tif 000004
【図３】
2018124805.tif 000005
【図４】
2018124805.tif 000006